(57)【特許請求の範囲】
【請求項１】
モニターと、前記モニターに画像データを表示するためのデータを記憶する記憶装置と、主制御部とから構成される画像データ処理システムにおいて、
主制御部は、
画像データを読み出して画像管理テーブルを作成する画像管理テーブル作成手段と、
前記画像管理テーブル作成手段によって作成された画像管理テーブルに対応する画像と画像のファイル名を前記モニターに一覧表示し、前記一覧表示された画像の中から選択された複数の画像を1つのグループとし、前記グループとした前記画像のファイル名を１つの枠で囲みグループ表示するグループ作成手段と、
選択された１つの画像を、既に作成されている１のグループに属した１つの画像上に移動させることにより、前記１のグループへ前記選択された画像を追加可能とするグループ追加手段を有する
ことを特徴とする画像データ処理システム。
【請求項２】
前記グループ追加手段は、追加した画像をグループの最後尾に追加表示することを特徴とする請求項１に記載の画像データ処理システム。
【請求項３】
前記グループ作成手段は、複数グループが作成された場合、各々のグループが異なる表示態様で識別表示されることを特徴とする請求項１または請求項２に記載の画像データ処理システム。
【請求項４】
モニターと、前記モニターに画像データを表示するためのデータを記憶する記憶装置と、主制御部とから構成される画像データ処理システムにおいて、
画像データを読み出し画像管理テーブルを作成する画像テーブル作成ステップと、
前記画像テーブル作成ステップによって作成された画像テーブルに対応する画像と画像のファイル名を前記モニターに一覧表示するステップと、
前記一覧表示するステップで表示された画像の中から選択された複数の画像を1つのグループとし、前記グループとした前記画像のファイル名を１つの枠で囲みグループ表示するグループ作成ステップと、
選択された１つの画像を、既に作成されている１のグループに属した１つの画像上に移動させることにより、前記１のグループへ前記選択された画像を追加可能とするグループ追加ステップと
を含むとことを特徴とする画像データ処理方法。
【請求項５】
モニターと、前記モニターに画像データを表示するためのデータを記憶する記憶装置と、主制御部とから構成される画像データ処理システムを、請求項１に記載の画像データ処理システムとして機能させることを特徴とする画像データ処理プログラム。
【発明の詳細な説明】
【技術分野】
【０００１】
本発明は、複数台のカメラで撮影した大量の写真データを簡単な操作でグループ化することを可能とした画像データ処理システム、画像データ処理方法、および、画像データ処理プログラムに関する。
【背景技術】
【０００２】
近年、写真撮影所等で記念撮影を行う際、写真撮影所等では顧客の写真を大量に撮影し、顧客は大量の写真の中から任意の写真を選択し、写真撮影所等では印刷を行ったり、記憶媒体にデータを記憶させたりして写真や写真データを顧客に販売するビジネスがある。
【０００３】
この時、写真撮影所等では複数のカメラを使って顧客の写真撮影を行うことが常態化している。
【０００４】
また、特許文献1には、写真撮影の受付、写真撮影、写真の確認、発注に関連したシステムについての技術が記載されている。
【先行技術文献】
【特許文献】
【０００５】
【特許文献１】特開２００３−３７７９８号
【発明の概要】
【発明が解決しようとする課題】
【０００６】
従来のビジネスにおいては、大量に撮影した顧客の写真を顧客に確認させる際、同じコスチュームやシーンを纏めて提示する必要があるが、纏めるために複数のカメラで撮影した大量の写真のデータファイルの名前を変更したりして、グループ化を行う等の作業が必要であって、煩雑な作業を余儀なくしていた。
【０００７】
特許文献１に記載のような従来のシステムでは、写真撮影所側のスタッフが操作する管理サーバと表示装置と、撮影した大量の写真を保存する画像サーバと、顧客に写真を確認させるための大型表示装置から構成されており、複数のカメラで撮影した大量の写真データの整理については何等配慮はなされていなかった。
【０００８】
本発明は、このような課題を解決するためのものであり、写真撮影所等において複数のカメラで撮影した写真データのファイルの整理を簡単な操作で実現した画像データ処理システム、画像データ処理方法、および、画像データ処理プログラムを提供することを目的とする。
【課題を解決するための手段】
【０００９】
本発明は、モニターと、前記モニターに画像データを表示するためのデータを記憶する記憶装置と、主制御部とから構成される画像データ処理システムにおいて、
主制御部は、画像データを読み出して画像管理テーブルを作成する画像管理テーブル作成手段と、前記画像管理テーブル作成手段によって作成された画像管理テーブルに対応する画像と画像ファイル名を前記モニターに一覧表示し、前記一覧表示された画像の中から選択された複数の画像を1つのグループとし、前記グループとした前記画像のファイル名を１つの枠で囲みグループ表示するグループ作成手段と、
選択された１つの画像を既に作成されている１のグループに属した１つの画像上に移動させることにより、前記１のグループへ前記選択された画像を追加可能とするグループ追加手段を有する
ことを特徴とする画像データ処理システムである。
【００１０】
また、本発明は、前記グループ追加手段は、追加した画像をグループの最後尾に追加表示することを特徴とする。
【００１１】
また、本発明は、前記グループ作成手段は、複数グループが作成された場合、各々のグループが異なる表示態様で識別表示されることを特徴とする
【００１２】
また、本発明は、モニターと、前記モニターに画像データを表示するためのデータを記憶する記憶装置と、主制御部とから構成される画像データ処理システムにおいて、
画像データを読み出し画像管理テーブルを作成する画像テーブル作成ステップと、前記画像テーブル作成ステップによって作成された画像テーブルに対応する画像と画像ファイル名を前記モニターに一覧表示するステップと、
前記一覧表示するステップで表示された画像の中から選択された複数の画像を1つのグループとし、前記グループとした前記画像のファイル名を１つの枠で囲みグループ表示するグループ作成ステップと、
選択された１つの画像を、既に作成されている１のグループに属した１つの画像上に移動させることにより、前記１のグループへ前記選択された画像を追加可能とするグループ追加ステップとを含むとことを特徴とする画像データ処理方法である。
【００１３】
また、本発明は、モニターと、前記モニターに画像データを表示するためのデータを記憶する記憶装置と、主制御部とから構成される画像データ処理システムを、請求項１に記載の画像データ処理システムとして機能させることを特徴とする画像データ処理プログラムである。
【発明の効果】
【００１４】
本発明によれば、記憶装置に記憶される大量の複数の画像データを簡単な操作でクループ化してデータを表示させることができるので、顧客と対面して接客を行う場合、顧客に対する画像の紹介が効率的に行える。
【図面の簡単な説明】
【００１５】
【図１】画像データ処理システム１の外観を示す模式図である。
【図２】画像データ処理システム１の構成を示すブロック図である。
【図３】画像データ処理システム１のメイン処理としての具体的動作を示すフローチャートである。
【図４】グルーピング設定処理の具体的動作を示すフローチャートである。
【図５】グルーピング解除処理の具体的動作を示すフローチャートである。
【図６】グループへの追加処理の具体的動作を示すフローチャートである。
【図７】スタッフモニター２における画面１の表示例の一例である。
【図８】スタッフモニター２における画面２の表示例の一例である。
【図９】スタッフモニター２における画面３の表示例の一例である。
【図１０】スタッフモニター２における画面４の表示例の一例である。
【図１１】画像データ９−１の一例を示す図である。
【図１２】画像データ管理テーブル９−２の作成初期段階を示す図である。
【図１３】画像データ管理テーブル９−２のグルーピング後段階を示す図である。
【図１４】画像データ管理テーブル９−２の追加操作後段階を示す図である。
【発明を実施するための形態】
【００１６】
以下に、本発明に係る表示システム１の第１の実施の形態について説明する。
【００１７】
図１は、画像データ処理システム１の外観を示す模式図である。画像データ処理システム１は、写真撮影所のスタッフモニター２（第１のモニター）と、顧客モニター４（第２のモニター）と、図示しない制御装置５からなり、制御装置５には、入力装置３として、キーボード３−１やマウス３−２が接続されている。
【００１８】
図２は、画像データ処理システム１の構成を示すブロック図である。画像データ処理システム１は、写真撮影所のスタッフモニター２と、顧客モニター４と、キーボードやマウスからなる入力装置３と、制御装置５とを備える。
【００１９】
スタッフモニター２、及び、顧客モニター４は、たとえば、液晶ディスプレイ、ＥＬ（Electro Luminescence）ディスプレイなどであり、画面に画像を表示する。
【００２０】
制御装置５は、スタッフモニター２と顧客モニター４に画像データ等を表示するための表示データを格納する表示バッファとして６、及び、７を有し、さらに、入力装置３を接続するための入力インターフェイス８、様々なデータを記憶する記憶装置９、記憶装置９の読み出しタイミングを制御するためのタイマー１０、並びに、これらの構成を制御する主制御部１１、主制御部１１を動作させるためのプログラムを記憶するメモリー１２を備える。
【００２１】
尚、主制御部１１は、スタッフモニター２を制御するためのスタッフモニター制御部１１−１と、顧客モニター４を制御するための顧客モニター制御部１１−２とを有する。
【００２２】
記憶装置９は、画像データ９−１、及び、画像データ管理テーブル９−２からなり、メモリー１２と同様に、例えば、ＤＤＲ  ＳＤＲＡＭ（Double Data Rate Synchronous Dynamic Random Access Memory）などの揮発性メモリー、および、フラッシュＲＯＭ（Read Only Memory）、ＥＥＰＲＯＭ（登録商標）、ＨＤＤ（Hard Disk Drive）などの不揮発性メモリーから構成される。
【００２３】
図３乃至図６は、画像データ処理システム１の実施の形態としての動作を示すフローチャートであり、メモリー１２に記憶されたアプリケーションプログラム、および、記憶装置９に記憶された画像データ９−１、及び、画像データ管理テーブル９−２が、主制御部１１によって制御される。
【００２４】
図７乃至図１０は、画像データ処理システム１におけるスタッフモニター２の表示画面の形態を示す図である。尚、これらはあくまでも一例であり、本発明の実施においては様々な変形実施が可能であることは言うまでもない。
【００２５】
図３乃至図６に基づき、画像データ処理システム１の処理としての具体的動作を説明する。まず、メイン処理として図３のステップＳ１において、画像データ処理システム１の図示しない電源投入ボタンを押下することで電源を投入し、画像データ処理システム１を起動すると共に記憶装置９に記憶されている画像データ９−１から画像データの存在するフォルダから画像データのファイル名を取得する。具体的には、画像データ９−１は図１１のように、複数のカメラで撮影された複数のフォルダＦ１、Ｆ２からなり、フォルダはファイル名、日付、サイズ、ファイル種別、及び、画像からなり、複数のフォルダからファイル名を取得し、ステップＳ２に進む。
【００２６】
次にステップＳ２で、画像データ管理テーブル９−２を作成し、ステップＳ３に進む。
【００２７】
図１２は、画像データ管理テーブル９−２の具体例を示す図であり、画像データ９−１から取得した全てのファイル名が初期状態で並ぶと共に、個々のファイル名に対してグルーピングＩＤが付与されるが作成時点は全て「０」が設定される。
【００２８】
次に、ステップＳ３で画面１がスタッフモニター２に表示されるが、具体的には図７の通り、画像データ管理テーブル９−２に記憶された全ての画像データとファイル名が一覧表示エリア２０で一覧表示され、スクロールバー２１によって画面をスクロールできる。また、この画面１にはグルーピング設定のためのボタン２２、グルーピング解除のためのボタン２３、グループへ追加するためのボタン２４、及び、終了ボタン２５が表示される。尚、個々のボタンの機能については後述する。
【００２９】
次に、ステップＳ４で画面１の終了ボタン２５が押されたかどうかが判断され、押された場合はステップＳ５に進み処理を終了し、押されない場合は、ステップＳ６に進む。
【００３０】
ステップＳ６では、画面１のグルーピング設定のためのボタン２２が押されたかどうかが判断され、押された場合はステップＳ７に進み、グルーピング設定処理を行い、押されない場合は、ステップＳ８に進む。尚、ステップＳ７でのグルーピング設定処理は後述する。
【００３１】
ステップＳ８では、画面１のグルーピング解除のためのボタン２３が押されたかどうかが判断され、押された場合はステップＳ９に進み、グルーピング解除処理を行い、押されない場合は、ステップＳ１０に進む。尚、ステップＳ９でのグルーピング解除処理は後述する。
【００３２】
ステップＳ１０では、画面１のグループへ追加するためのボタン２４が押されたかどうかが判断され、押された場合はステップＳ１１に進み、グループへの追加処理を行い、押されない場合は、ステップＳ４に戻る。尚、ステップＳ１１でのグループへの追加処理は後述する。
【００３３】
次に、ステップＳ７のグルーピング設定処理（グループ作成）の詳細について説明する。具体的には、図４の処理となる。
【００３４】
ます、ステップＳ２１で開始画像データを選択する。具体的には、図７の画面１の一覧表示エリア２０の画像「Ａ１」を選択し、ステップＳ２２で終了画像となる画像「Ａ３」を選択し、ステップＳ２３に進む。
【００３５】
ステップＳ２３では、ステップＳ２１とステップＳ２２で選択された範囲の画像に対して、図１２の作成初期段階の画像データ管理テーブル９−２のグルーピングＩＤを追加し、ステップＳ２４に進む。尚、この場合、最初のグループであるため「１」を書き込み、次のグループには「２」を書き込み、以降、グループの追加に応じて１を加算してグループＩＤを更新する。
【００３６】
図１３は、画像ファイル「Ａ１」「Ａ２」「Ａ３」をグルーピングした時の画像管理テーブル９−２の状態を示す図であり、この図において、グルーピングＩＤに「１」がセットされた状態を示している。
【００３７】
次に、ステップＳ２４ではステップＳ２３で画像「Ａ１」「Ａ２」「Ａ３」がグルーピングされた状態となり、この時スタッフモニター２の画面表示は図８のように画面２の通りとなる。図８のグループ表示２６の通り、画像のファイル名「Ａ１」「Ａ２」「Ａ３」が矩形枠で囲まれ、同一グループであることが定義付けられたことを示す。尚、図示しないが、他のグループ設定がなされた場合、其々異なる色の矩形枠で囲んだり、矩形の背景色を異ならせることによってグループの違いを明確化する。
【００３８】
次に、ステップＳ９のグルーピング解除処理の詳細について説明する。具体的には、図５の処理となる。
【００３９】
ます、ステップＳ３１でグルーピングされた画像の中からグルーピング解除を行う画像を選択し、ステップＳ３２に進む。
【００４０】
ステップＳ３２では、画像データ管理テーブルから、選択された画像データが属するグループ中の画像データのグルーピングＩＤを解除してステップＳ３３に進む。尚、解除処理はグルーピングＩＤに「０」をセットする。
【００４１】
次に、ステップＳ１１のグループへの追加処理の詳細について説明する。具体的には、図６の処理となる。
【００４２】
ます、ステップＳ４１で追加する画像データを選択してステップＳ４２に進み、ステップＳ４２では、追加されるグループに属する画像データの１つを選択する。この時の動作を図９を利用して説明する。
【００４３】
図９において、追加対象となる画像Ｂ１が選択され、画像「Ａ１」「Ａ２」「Ａ３」のグループに属させるべく画像「Ａ２」が選択された状態を示している。
【００４４】
次に、ステップＳ４３で画像データ管理テーブル中の選択されたグループの最後行へ追加された画像データ行を移動し、グルーピングＩＤを追加する。
【００４５】
図１４は、画像のファイル名「Ｂ１」を画像「Ａ１」「Ａ２」「Ａ３」のグループに移動させたときの画像データ管理テーブル９−２の状態を示しており、画像「Ａ３」の次に画像「Ｂ１」がテーブル移動し、移動後の画面は図１０に示した通りとなる。
【００４６】
以上の手順によって写真撮影所のスタッフによって整理された画像は、顧客モニタ−４で順次表示され、顧客は順次表示される写真の中から気にいった写真を選ぶことが可能となる。
【００４７】
第２の実施形態は、スタッフモニター２にタッチ操作可能なタッチパネルを設け、一覧画像のグループ化の操作性を高めることを可能とする。図示は省略するが、スタッフモニター２上に赤外線遮断方式の座標入力装置を付加したり、スタッフモニター２の表示パネルを静電容量タッチパネル付きの表示パネルとすることで操作性を向上させることを目的としている。
【００４８】
以上のように構成される画像データ処理システム１のメモリー１２に記憶される画像処理プログラムは、記憶装置に記憶されている画像のグループ化を制御する画像データ処理システム1として機能させるプログラムである。この表示プログラムは、従来公知の、コンピュータ読み取り可能な記録媒体に記録できる。上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００４９】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００５０】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００５１】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００５２】
また、表示装置が、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００５３】
１  画像データ処理システム
２  スタッフモニター
３  入力装置
４  顧客モニター
５  制御装置
９  記憶装置
９−１  画像データ
９−２  画像データ管理テーブル
１０  タイマー
１１  主制御部
【図１】
0006514456.tif 000002
【図２】
0006514456.tif 000003
【図３】
0006514456.tif 000004
【図４】
0006514456.tif 000005
【図５】
0006514456.tif 000006
【図６】
0006514456.tif 000007
【図７】
0006514456.tif 000008
【図８】
0006514456.tif 000009
【図９】
0006514456.tif 000010
【図１０】
0006514456.tif 000011
【図１１】
0006514456.tif 000012
【図１２】
0006514456.tif 000013
【図１３】
0006514456.tif 000014
【図１４】
0006514456.tif 000015